【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
減圧治療システムにおいて、
減圧キャニスタであって、
流体貯蔵部を形成するキャニスタ本体と、
患者からの流体を受ける入口と、
通気部であって、
複数の細孔と、
前記複数の細孔を覆う疎水性コーティングと、
を含む通気部と、
を含む減圧キャニスタと、
前記流体貯蔵部に流体連結された減圧源と、
前記入口に流体連結され、前記患者からの流体を前記減圧キャニスタへと送達する減圧送達導管と、
を含むことを特徴とする減圧治療システム。
【請求項２】
請求項１に記載のシステムにおいて、
前記細孔の直径が０．５〜１マイクロメートルであることを特徴とするシステム。
【請求項３】
請求項１または２に記載のシステムにおいて、
前記疎水性コーティングがフルオロカーボンを含むことを特徴とするシステム。
【請求項４】
請求項１乃至３の何れか１項に記載のシステムにおいて、
前記疎水性コーティングがヘプタデカフルオロデシルアシレートを含むことを特徴とするシステム。
【請求項５】
請求項１乃至４の何れか１項に記載のシステムにおいて、
前記通気部が抗微生物コーティングを含むことを特徴とするシステム。
【請求項６】
請求項１乃至５の何れか１項に記載のシステムにおいて、
前記通気部が抗菌コーティングを含むことを特徴とするシステム。
【請求項７】
請求項１乃至６の何れか１項に記載のシステムにおいて、
前記通気部がプロテアーゼコーティングを含むことを特徴とするシステム。
【請求項８】
請求項１乃至７の何れか１項に記載のシステムにおいて、
前記通気部が活性炭コーティングを含むことを特徴とするシステム。
【請求項９】
請求項１乃至８の何れか１項に記載のシステムにおいて、
前記細孔の直径が０．５〜１マイクロメートルの範囲内であり、前記通気部の破過圧が等式、Ｐ（ｂ）＝４ｇ（ｃｏｓ  ｑ）／Ｄで定義され、式中、
Ｐ（ｂ）は前記通気部の破過圧であり、
ｇは液体の表面張力であり、
ｑは前記液体と前記通気部の表面の間の接触角であり、
Ｄは細孔の直径である
ことを特徴とするシステム。
【請求項１０】
請求項１乃至９の何れか１項に記載のシステムにおいて、
前記通気部が溶接を含まないことを特徴とするシステム。
【請求項１１】
減圧キャニスタの製造方法において、
流体貯蔵部を有するキャニスタ本体と、患者からの流体を受ける入口と、を形成するステップと、
前記キャニスタ本体に通気部を形成するステップであって、同様に、
前記キャニスタ本体の境界領域に複数の細孔を形成するステップと、
前記複数の細孔を覆うように疎水性コーティングを塗布するステップと、
を含むステップと、
を含むことを特徴とする方法。
【請求項１２】
請求項１１に記載の方法において、
前記複数の細孔を覆う疎水性コーティングを塗布する前記ステップが、プラズマ処理工程で前記疎水性コーティングを塗布するステップを含むことを特徴とする方法。
【請求項１３】
請求項１１または１２に記載の方法において、
前記複数の細孔を覆う疎水性コーティングを塗布する前記ステップが、フルオロカーボンコーティングを塗布するステップを含むことを特徴とする方法。
【請求項１４】
請求項１１乃至１３の何れか１項に記載の方法において、
前記複数の細孔を覆う疎水性コーティングを塗布する前記ステップが、ヘプタデカフルオロデシリアシレートコーティングを塗布するステップを含むことを特徴とする方法。
【請求項１５】
請求項１１乃至１４の何れか１項に記載の方法において、
複数の細孔を形成する前記ステップが、直径０．５〜１マイクロメートルの複数の細孔を形成するステップを含むことを特徴とする方法。
【請求項１６】
請求項１１乃至１５の何れか１項に記載の方法において、
キャニスタ本体を形成する前記ステップが、ＰＥＴポリマーから形成されたキャニスタ本体を提供するステップを含むことを特徴とする方法。
【請求項１７】
請求項１１乃至１６の何れか１項に記載の方法において、
プラズマ処理工程で前記複数の細孔を覆うように抗微生物コーティングを塗布するステップをさらに含むことを特徴とする方法。
【請求項１８】
請求項１１乃至１７の何れか１項に記載の方法において、
プラズマ処理工程で前記複数の細孔を覆うように抗菌コーティングを塗布するステップをさらに含むことを特徴とする方法。
【請求項１９】
請求項１１乃至１８の何れか１項に記載の方法において、
前記複数の細孔を覆うように疎水性コーティングを塗布する前記ステップが、プラズマ処理工程で前記複数の細孔を覆うようにプロテアーゼコーティングを塗布するステップを含むことを特徴とする方法。
【請求項２０】
請求項１１乃至１９の何れか１項に記載の方法において、
プラズマ処理工程で前記複数の細孔を覆うように活性炭コーティングを塗布するステップをさらに含むことを特徴とする方法。
【請求項２１】
流体貯蔵部を有するキャニスタ本体と、
患者からの流体を受ける入口と、
前記キャニスタ本体の側部または上部の中に形成された一体構造の疎水性フィルタと、
を含む減圧キャニスタにおいて、
前記一体構造の疎水性フィルタが、
前記キャニスタ本体に形成された複数の細孔と、
前記複数の細孔に塗布された疎水性コーティングと、
を含むことを特徴とする減圧キャニスタ。
【請求項２２】
請求項２１に記載の減圧キャニスタにおいて、
前記複数の細孔が０．５〜１マイクロメートルの実質的に均一な直径を有することを特徴とする減圧キャニスタ。
【請求項２３】
請求項２１または２２に記載の減圧キャニスタにおいて、
前記疎水性コーティングがヘプタデカフルオロデシルアシレートを含むことを特徴とする減圧キャニスタ。
【請求項２４】
請求項２１乃至２３の何れか１項に記載の減圧キャニスタにおいて、
前記一体構造の疎水性フィルタが抗微生物コーティングを含むことを特徴とする減圧キャニスタ。
【請求項２５】
請求項２１乃至２４の何れか１項に記載の減圧キャニスタにおいて、
前記一体構造の疎水性フィルタが抗菌微生物コーティングを含むことを特徴とする減圧キャニスタ。
【請求項２６】
請求項２１乃至２５の何れか１項に記載の減圧キャニスタにおいて、
前記一体構造の疎水性フィルタがプロテアーゼコーティングを含むことを特徴とする減圧キャニスタ。
【請求項２７】
減圧キャニスタに疎水性通気口を形成する方法において、
キャニスタ本体に複数の開口部を形成するステップと、
前記複数の開口部に疎水性コーティングを塗布するステップと、
を含み、
疎水性コーティングを塗布する前記ステップが、プラズマ処理工程でフルオロカーボンコーティングを塗布するステップを含むことを特徴とする方法。
【請求項２８】
請求項２７に記載の方法において、
前記複数の開口部が複数の円形の穴を含むことを特徴とする方法。
【請求項２９】
請求項２７に記載の方法において、
前記複数の開口部が複数の平行なスリットを含むことを特徴とする方法。
【請求項３０】
請求項２７に記載の方法において、
前記複数の開口部が第一の複数の平行なスリットを含み、前記方法がさらに、
第二の複数の平行なスリットを有する格子部材に前記疎水性コーティングを塗布するステップと、
前記格子部材を前記第一の複数の平行なスリットを覆うように取り付けて、前記第二の複数の平行なスリットが前記第一の複数の平行なスリットに実質的に重なり、それに対して垂直になるようにするステップと、
をさらに含むことを特徴とする方法。
【請求項３１】
請求項２７乃至３０の何れか１項に記載の方法において、
前記フルオロカーボンコーティングがヘプタデカフルオロデシルアシレートを含むことを特徴とする方法。
【請求項３２】
請求項２７乃至３１の何れか１項に記載の方法において、
前記複数の開口部にプロテアーゼコーティングを塗布するステップを含むことを特徴とする方法。